(57)【要約】【課題】放熱効率が高く、かつ、製造コストが低いピックアップ装置を提供する。【解決手段】ピックアップベース５１にレーザー光源体６１と放熱板７４とを配設する。レーザー光源体６１は、光ディスク４１にレーザー光束を照射する。放熱板７４は、少なくとも一部がピックアップベース５１の外空間に臨みかつピックアップベース５１との間に所定間隔を有しレーザー光源体６１に生じた熱を放熱する。放熱板７４のうちピックアップベース５１に対向する面からも放熱できるので、放熱効率が高くなる。【選択図】　　　　　図２
2004133962.tif 000002
【特許請求の範囲】
【請求項１】
筐体と、
前記筐体に配設され光学記録媒体に光束を照射する光源体と、
少なくとも一部が前記筐体の外空間に臨みかつ前記筐体との間に所定間隔を有し前記光源体に生じた熱を放熱する放熱部材と
を備えて構成されていることを特徴とするピックアップ装置。
【請求項２】
請求項１に記載のピックアップ装置において、
前記放熱部材は、前記筐体との間に所定間隔を有することによって前記筐体とにて挟む空間をこの放熱部材を挟んで反対側に連通する孔部を有している
ことを特徴とするピックアップ装置。
【請求項３】
請求項１ないし２に記載のピックアップ装置において、
前記放熱部材は、前記筐体の一方向に位置し前記光学記録媒体の記録部を移動させる動力源に対して前記筐体の他方向側に配置されている
ことを特徴とするピックアップ装置。
【請求項４】
請求項３に記載のピックアップ装置において、
前記放熱部材は、前記光源体を中心として前記動力源とは反対側に配置されている
ことを特徴とするピックアップ装置。
【請求項５】
請求項１ないし４に記載のピックアップ装置において、
前記放熱部材は、電気部品を有し前記筐体の外部に設けられた回路基板に対して前記電気部品からの熱が及ばない所定の間隔を有して配置されている
ことを特徴とするピックアップ装置。
【請求項６】
請求項１ないし５に記載のピックアップ装置において、
前記放熱部材および前記筐体のいずれか一方に設けられたピンと前記放熱部材および前記筐体のいずれか他方に設けられ前記ピンが挿通される孔との遊嵌により前記放熱部材と前記筐体とは互いに回動自在に設けられ、
前記ピンを中心とした回動にてこの放熱部材の一部が前記光源体の一端面に付勢された状態で固定されている
ことを特徴とするピックアップ装置。
【発明の詳細な説明】
【０００１】
【発明の属する技術分野】
本発明は、ピックアップ装置に関する。例えば、光学記録媒体に対して情報の書き込みまたは読み出しを行うピックアップ装置に関する。
【０００２】
【従来技術】
光学記録媒体、例えばＤＶＤ（Ｄｉｇｉｔａｌ　Ｖｅｒｓａｔｉｌｅ　Ｄｉｓｋ）やＣＤ（Ｃｏｍｐａｃｔ　Ｄｉｓｃ）などの光ディスクに対して情報の書き込みまたは読み取りを行うピックアップ装置において、光源体から発生する熱を放熱するピックアップ装置が知られている。このようなピックアップ装置は、光ディスクに光束を照射する光源体としてのレーザー光源体と、このレーザー光源体が配設された筐体としてのピックアップベースと、放熱手段とを備える。なお、ピックアップベースには、レーザー光源体から発射されたレーザー光を光ディスクに向かって反射させるビームスプリッタや、レーザー光を集光するレンズや、光ディスクからの反射光を検出する光検出器等の光学素子が配設されている。
【０００３】
レーザー光源体の熱を放熱する放熱手段として、例えば、ピックアップベースを伝熱性の良い金属材料で形成することが行われる。ピックアップベースが金属で形成された場合、レーザー光源体に生じる熱は、ピックアップベースに伝熱され、ピックアップベースの表面から外気に向かって放熱される。すると、レーザー光源が熱をもつことが抑えられ、熱によるレーザー光源体の特性劣化や短寿命化が防止される。
その他の放熱手段として、ピックアップベースの表面に沿って着接され一部がレーザー光源体に当接された伝熱性の良い放熱板が設けられる。放熱板の一面はピックアップベースの表面に密着される。このような構成において、レーザー光源体の熱は放熱板に伝熱されるとともに、放熱板の表面から外気に向かって放熱される。また、放熱板は、ピックアップベースに対して密着されているので、ピックアップ装置のサイズを大きくすることもない。
【０００４】
【発明が解決しようとする課題】
しかしながら、レーザー光源体の熱を放熱する手段としてピックアップベースを金属材料とした場合には、コストが増大するという問題が生じる。
一方、ピックアップベースをコストの低い合成樹脂で形成するとともに、レーザー光源体の熱を放熱する放熱板を設けた場合には、コストの増大を防ぐことができる。しかしながら、合成樹脂のピックアップベースではピックアップベースの表面から放熱することができないので、放熱面積は、放熱板のうち外気に触れる面のみとなる。すると、放熱面積が小さいため放熱効率が低下する。
近年、例えば、ＤＶＤとＣＤとで共用できるレーザー光源体や、光ディスクに情報を書き込むレーザー光源体が利用されるようになっており、このようなレーザー光源体の発熱量が大きくなってきている。発熱量が大きいレーザー光源体に対し、放熱効率が低いピックアップ装置ではレーザー光源体の熱を十分に放熱させることができないという問題が生じる。
【０００５】
本発明の目的は、斯かる実情に鑑み、放熱効率が高く、かつ、製造コストが低いピックアップ装置を提供することにある。
【０００６】
【課題を解決するための手段】
請求項１に記載のピックアップ装置は、筐体と、前記筐体に配設され光学記録媒体に光束を照射する光源体と、少なくとも一部が前記筐体の外空間に臨みかつ前記筐体との間に所定間隔を有し前記光源体に生じた熱を放熱する放熱部材とを備えて構成されていることを特徴とする。
【０００７】
【発明の実施の形態】
以下、本発明の実施の形態を図示例と共に説明する。
（第１実施形態）
図１は、本発明の第１実施形態のピックアップ装置を有しＤＶＤやＣＤ等の光ディスクに記録された情報を再生したりあるいは光ディスクに情報を記録したりするディスク装置の分解斜視図である。図２は、図１のディスク装置の組み立て後に図１中のＩＩの方向から見た図である。
このディスク装置１は、外ケース２１と、外ケース２１の内部に設置された内ケース２５と、内ケース２５に対して進退可能に設けられ光学記録媒体としての光ディスク４１が載置されるディスクトレイ２９と、内ケース２５に設けられ光ディスク４１に対して情報の再生または記録を行う本体部３２と、本体部３２の動作を制御する電子部品を有する回路基板４０とを備えて構成されている。
【０００８】
外ケース２１は、図１中において下面および前面が開口した上ケース２２と、上ケース２２の下面を閉塞する下ケース２３と、上ケース２２の前面を閉塞する化粧板２４とを備えて構成され、全体としては扁平直方体形状である。
内ケース２５は、上面および前面が開口し、略中央に孔部２６１を有する底面２６とこの底面２６から立設された側面２７を有する。
ディスクトレイ２９は、略板状で上面には上方に向けて拡径する円形凹状で光ディスク４１が載置される載置凹部３０を有する。ディスクトレイ２９は、略中央部に略長方形状の開口部３１を有する。ディスクトレイ２９は、内ケース２５に設けられたトレイ駆動手段２８により進退される。
【０００９】
本体部３２は、中央に孔部３３１を有し内ケース２５に設置された台座部３３と、台座部３３に設けられ光ディスク４１を回転させる回転駆動手段３４と、台座部３３の孔部３３１を一縁から他縁に移動し光ディスク４１の下面側に設けられた記録部に対してレーザー光の照射および反射光の検出を行うピックアップ装置５と、ピックアップ装置５を移動させる移動手段３７とを備えて構成されている。
【００１０】
台座部３３は、平板枠状に形成されており、内ケース２５の孔部２６１に対して台座部３３の孔部３３１が重なるように設置されている。
回転駆動手段３４は、光ディスク４１を載せて回転するターンテーブル３５と、このターンテーブル３５を回転駆動させる動力源としてのスピンドルモータ３４１（図２または図３参照）とを備えて構成されている。ターンテーブル３５は、光ディスク４１の中心孔４１１に嵌挿される回転軸３５１と、回転軸３５１の外周面にフランジ状に突設され光ディスク４１の軸孔周縁が載置される鍔部３５２を有している。光ディスク４１がディスクトレイ２９に載置され内ケース２５の内側に移動されてきた際には、光ディスク４１はターンテーブル３５上に載置され、また、光ディスク４１の上面は内ケース２５の側面２７に架橋された支持部材３６に回転自在に設けられた回転子３６１により押さえられる（図２参照）。光ディスク４１がターンテーブル３５と回転子３６１とに挟持された状態でスピンドルモータ３４１の駆動力により回転される。
【００１１】
移動手段３７は、一対のガイドシャフト３８と、移動用モータ３９とを備えて構成されている。一対のガイドシャフト３８はそれぞれ台座部３３の孔部３３１の一縁から他縁に軸方向を有して配設されている。ピックアップ装置５に対してガイドシャフト３８が挿通または係合されている。移動用モータ３９の駆動力によりピックアップ装置５は台座部３３の一縁から他縁に移動される。
【００１２】
回路基板４０は、ピックアップ装置５の下方にピックアップ装置５から所定間隔を有して設けられている（図２参照）。回路基板４０は、移動用モータ３９やスピンドルモータ３４１の回転制御や、ピックアップ装置５の制御等を行う電子部品を有している。
【００１３】
次にピックアップ装置５の構成について説明する。ここで、図３は、ピックアップ装置５を示す図であり、図２中に示されるピックアップ装置５についてＩＩＩ方向から見た図である。
ピックアップ装置５は、筐体としてのピックアップベース５１と、ピックアップベース５１に配設され光ディスク４１に光束を照射する光源体としてのレーザー光源体６１と、レーザー光源体６１に生じた熱を放熱する放熱部材としての放熱板７１と、レーザー光源体６１から発射されたレーザー光束を光ディスク４１に向かって導くための光学部品８２とを備えて構成されている。
【００１４】
ピックアップベース５１は、概略厚板形状で、一縁側がスピンドルモータ３４１の円形状にあわせて円弧状５２に形成されている。
ピックアップベース５１には、一方のガイドシャフト３８が挿通される挿通孔５３が図３中右辺側に設けられ、また、断面略Ｕ字状で他方のガイドシャフト３８をＵ字の内側に挟む係合部５４が左辺側に設けられている。
ピックアップベース５１は、レーザー光源体６１や光学部品を収納する光学部品収納部５５を一面側に有している（図３参照）。また、レーザー光束を光ディスク４１に向かって発射するレーザー発射部５７を他面側に有している（図２参照）。この光学部品収納部５５は、図３中ピックアップベース５１の一面側左上隅に形成され、光学部品収納部５５の他縁側にはレーザー光源体６１を収納するレーザー光源体収納部５６が設けられている。すなわち、ピックアップベース５１の一縁側にはターンテーブル３５を回転駆動させるスピンドルモータ３４１が配置されているのに対して、レーザー光源収納部５６は、スピンドルモータ３４１から所定距離をもって位置している。
ピックアップベース５１の一面は、段差を有し、例えば、図３中右端の挿通孔５３が形成された部分や左上隅の光学部品収納部５５などの高台部分５８に対し、左下隅から他縁側に続いて右辺側の他縁から一縁に至る部分は高台部分５８に比べると低い低地部分５９となっている。
右辺側の低地部分５９の他縁側よりにはピン６０が設けられている。ピン６０の周縁には、低地部分５９の面よりも所定高さ、例えば、０．５ｍｍから１．５ｍｍ程度の高さを有するように膨出した膨出部（不図示）が形成されている。
ピックアップベース５１は、合成樹脂などにより形成されている。
【００１５】
レーザー光源体６１は、一端面がレーザー光源収納部５６から外部に臨んでおり、この一端面に電力ケーブル等が接続されるコネクタピン６２を有する。コネクタピン６２が設けられた一端面は、ピックアップベース５１の他縁と左辺が交わる頂点方向を向いており、ターンテーブル３５側とは反対を向いている。
このレーザー光源体６１は、ＤＶＤ再生用のレーザー光束を出力するＤＶＤ用レーザーチップと、ＣＤ再生用のレーザー光束を出力するＣＤ用レーザーチップとを備え、二つの異なる波長のレーザー光束を出力することができる。
【００１６】
放熱板７１は、ピックアップベース５１の一面側に設けられ、レーザー光源体６１から発生する熱を外部に放熱する。
放熱板７１は、鉄、ステンレス、アルミニウム、銅またはその他の金属材料で形成され、ピックアップベース５１の一面の低地部分５９に平行でこの低地部分５９から所定間隔を有する基面部７２と、基面部７２から一体的に連続し基面部７２に対して略直角をもって立設された側面部７４とを有する。
基面部７２は、右辺側で他縁から一縁に至る途中に位置している。基面部７２には、ピン６０が挿通される挿通孔７３が形成されている。挿通孔７３にピン６０が挿通された際に、基面部７２が膨出部によって支えられることにより、基面部７２はピックアップベース５１の低地部分５９から所定間隔をもって位置する。この所定間隔としては、放熱をするに十分な寸法、例えば、略０．５ｍｍから略１．５ｍｍ程度である。
【００１７】
側面部７４は、ピックアップベース５１の右辺よりの他縁側でピックアップベース５１の他縁に平行な他縁側側面部７４１と、右辺側に位置する右辺側側面部７４２と、ピックアップベース５１の他縁の中央付近から左辺の中央付近に向かって直線的に伸びる左辺側側面部７４３と、左辺側側面部７４３とは平行で左辺側側面部７４３よりは一縁側に位置する一縁側側面部７４４とを有する。
左辺側側面部７４３の左辺側の一部は、伝熱性がよいシート状の放熱シート８１を挟んでレーザー光源体６１に強く押し付けられ、レーザー光源体６１の一端面に付勢されている。放熱シート８１は、弾性、柔軟性などを有するシート状の部材である。左辺側側面部７４３の左辺側には切欠き形成された切欠き部７４３Ａが設けられ、この切欠き部７４３Ａからレーザー光源体６１のコネクタピン６２が外部に臨んでいる。
【００１８】
放熱板７１がピックアップベース５１に固定される際には、挿通孔７３にピン６０が挿通され、放熱板７１がピックアップベース５１に対して図３中時計回りに回動される。このとき、左辺側側面部７４３がレーザー光源体６１に放熱シート８１を挟んで当たり、さらに放熱板７１が回動されると、放熱板７１の金属弾性で左辺側側面部７４３がレーザー光源体６１に向かって強く付勢される。このように左辺側側面部７４３がレーザー光源体６１に強く付勢された状態でねじ７２１により放熱板７１が固定される。
【００１９】
なお、レーザー光源体６１の一端面がターンテーブル３５に対して反対を向き、放熱板７１がレーザー光源体６１の一端面に付勢されていることから、放熱板７１は、ターンテーブル３５を回転駆動させるスピンドルモータ３４１に対して所定の距離を有し、また、スピンドルモータ３４１とはレーザー光源体６１を挟んで反対側に位置している。さらに、回路基板４０はピックアップ装置５とは所定間隔を有しているので、すなわち、回路基板４０と放熱板７１とは所定間隔を有している。
【００２０】
レーザー光源体６１から発射されたレーザー光束を光ディスク４１に向かって導く光学部品８２としては、レーザー光源体６１からのレーザー光束を直角にかつピックアップベース５１の一面に平行に反射するハーフミラー８２１と、ハーフミラー８２１からの反射光を直角にかつピックアップベース５１の他面方向に反射する反射ミラー８２２などが設けられている。反射ミラー８２２によりピックアップベース５１の他面側に反射されたレーザー光束は、レーザー発射部５７から光ディスク４１に向かって照射される。また、光ディスクからの反射光を検出する検出器等も設けられている。
【００２１】
このような構成からなるディスク装置１において光ディスク４１の情報の読み取りについて説明する。
ディスクトレイ２９を外ケース２１および内ケース２５から外に引き出してディスクトレイ２９に光ディスク４１を載置し、光ディスク４１が載置されたディスクトレイ２９を内ケース２５の内部に収納する。すると、ターンテーブル３５と回転子３６１に光ディスク４１が挟持されて、ターンテーブル３５の回転により光ディスク４１が回転される。このとき、ピックアップ装置５からレーザー光束が光ディスク４１に向かって発射され、光ディスク４１からの反射光はピックアップ装置５で検出される。この反射光の検出により光ディスク４１から情報が読み出される。また、ピックアップ装置５は、移動手段３７による移動によって光ディスク４１の所定部分にレーザー光束を照射する。すると、光ディスク４１から所定の情報が順次読み出される。
【００２２】
次に、このような構成からなるピックアップ装置５において、レーザー光源体６１から発せられる熱の放熱について説明する。
レーザー光源体６１からレーザー光束が発射される際には、レーザー光源体６１が熱を発する。レーザー光源体６１から発生した熱は、レーザー光源体６１の一端面から放熱シート８１に伝わり、さらに、放熱板７１の左辺側側面部７４３に伝熱する。左辺側側面部７４３に伝熱された熱は、左辺側側面部７４３から基面部７２、一縁側側面部７４４、他縁側側面部７４１および右辺側側面部７４２に伝熱されて、放熱板７１全体に伝熱される。放熱板７１に伝熱された熱は、放熱板７１の外気に触れる部分から外部の空気に対して放熱される。ここで、放熱板７１の側面部７４についてみると、表裏いずれの面も外気に触れている。さらに、放熱板７１の基面部７２についてみると、ピックアップベース５１とは反対側の面が外気に触れていることはもちろん、ピックアップベース５１に対向する面とピックアップベース５１との間に所定間隔があるので、ピックアップベース５１と対向する面も外気に触れている。すなわち、放熱板７１の略前面に渡って外気との接触がある。よって、レーザー光源体６１から発生した熱は、放熱板７１の略全面から放熱される。レーザー光源体６１で発生された熱が放熱板７１により放熱されると、レーザー光源体６１の温度上昇が抑制される。
【００２３】
以上このような構成からなるピックアップ装置５によれば、次の効果を奏することができる。
（１）ピックアップベース５１と、ピックアップベース５１に配設され光ディスク４１に光束を照射するレーザー光源体６１と、少なくとも一部がピックアップベース５１の外空間に臨みかつピックアップベース５１との間に所定間隔を有しレーザー光源体６１に生じた熱を放熱する放熱板７１とを備えて構成されている。
【００２４】
このような構成によれば、レーザー光源体６１に発生した熱が放熱板７１に伝熱されると、放熱板７１から熱が外気に放熱される。ここで、放熱板７１は、ピックアップベース５１との間に所定間隔を有しているので、放熱板７１のうちピックアップベース５１に対向する面も外気に触れている。具体的には、放熱板７１の基面部７２とピックアップベース５１との間に所定空間が設けられている。よって、放熱板７１の基面部７２の両面が外気に触れている。さらに、放熱板７１の他縁側側面部７４１、左辺側側面部７４３、右辺側側面部７４２および一縁側側面部７４４についても両面が外気に触れている。その結果、放熱板の略全面で熱を外気に放熱することができる。従来は、放熱板７１をピックアップベース５１に密着させていたため、放熱板７１のうちピックアップベース５１に密着した部分が外気に触れず、このピックアップベース５１に密着した部分からは放熱することができなかった。しかし、本発明のピックアップ装置５の放熱板７１によれば、放熱板７１の略全面から放熱することができる。よって、放熱板７１による放熱量が大きくなり、レーザー光源体６１の熱を効率よく放熱することができる。その結果、レーザー光源体６１の温度上昇が抑制され、レーザー光源体６１の温度上昇による特性劣化や、短寿命化を防ぐことができる。
【００２５】
図４（Ａ）は、放熱板７１とピックアップベース５１とが密着している場合についてレーザー光源体６１の温度上昇の様子を示す図であり、図４（Ｂ）は、放熱板７１とピックアップベース５１とが所定間隔として１ｍｍの間隔を有している場合についてレーザー光源体６１の温度上昇の様子を示す図である。図４（Ａ）では、室温２５℃に対し、レーザー光源体６１の温度は３３．８度程度に収束しており、室温とレーザー光源体６１との温度差は８．４度ほどある。これに対して、図４（Ｂ）では、室温２５度に対し、レーザー光源体６１の温度は３２度程度に収束しており、室温とレーザー光源体６１との温度差は６．３度程度である。つまり、放熱板７１がピックアップベース５１に密着している場合に比べて、放熱板７１とピックアップベース５１との間に所定間隔を有すると、レーザー光源体６１の温度上昇を約２度ほど抑えられることがわかる。
【００２６】
放熱板７１の全面が外気に触れることにより、放熱板７１の放熱効率が高くなるので、放熱板７１の大きさを小さくすることもできる。すると、ピックアップ装置５の大きさを小さくすることができる。また、放熱板７１を小さくすることができれば、材料コストを低減することもできる。
【００２７】
なお、ピックアップベース５１と放熱板７１との間に所定間隔があって放熱板７１にレーザー光源体６１からの熱が伝熱された場合、ピックアップベース５１と放熱板７１とは温度差を有する。つまり、放熱板７１は温度が高いのに対してピックアップベース５１の温度は低い。このような温度差がピックアップベース５１と放熱板７１との間に存在すると、この温度差により空気の対流が生じやすいと考えられる。この空気の対流により、ピックアップベース５１と放熱板７１との間に外部の冷たい空気が流入されると、ピックアップベース５１に対向する放熱板７１の面から熱が効率よく放熱されることになる。すると、ピックアップベース５１と放熱板７１との間に所定間隔を設けることにより、単に放熱面積が大きくなるだけではなく、この空気対流により放熱効率がより高くなる。さらに、このような空気対流を起こすために別個に特別な送風手段等を設ける必要もなく、簡便な構成で放熱効率を上げることができる。
【００２８】
（２）放熱板７１は、ピックアップベース５１の一方向に位置し光ディスク４１の記録部を移動させるスピンドルモータ３４１に対してピックアップベース５１の他方向側に配置されている。具体的には、放熱板７１は、レーザー光源体６１を中心としてスピンドルモータ３４１とは反対側に配置されている
【００２９】
このような構成によれば、スピンドルモータ３４１から生じる熱が放熱板７１に及ばない。つまり、スピンドルモータ３４１の排熱により熱された空気が放熱板７１に影響しない。よって、放熱板７１がスピンドルモータ３４１の熱を拾うことがなく、また、放熱板７１は周囲の冷たい外気に効率よく放熱することができる。その結果、放熱板７１の放熱効率が下がらす、放熱板７１によりレーザー光源体６１の熱を効率よく放熱することができる。
【００３０】
（３）放熱板７１は、電気部品を有しピックアップベース５１の外部に設けられた回路基板４０に対して前記電気部品からの熱が及ばない所定の間隔を有して配置されている。
【００３１】
このような構成によれば、回路基板４０の電気部品から生じる熱が放熱板７１に及ばない。その結果、放熱板７１の放熱効率が下がらす、放熱板７１によりレーザー光源体６１の熱を効率よく放熱することができる。
【００３２】
（４）ピックアップベース５１に設けられたピン６０と放熱板７１に設けられピン６０が挿通される挿通孔７３との遊嵌により放熱板７１とピックアップベース５１とは互いに回動自在に設けられ、ピン６０を中心とした回動にてこの放熱板７１の一部がレーザー光源体６１の一端面に付勢された状態で固定されている。
【００３３】
このような構成によれば、放熱板７１が強くレーザー光源体６１に押し付けられるので、レーザー光源体６１に発生した熱が放熱板７１に伝熱されやすい。よって、レーザー光源体６１の熱を放熱板７１により効率よく放熱することができる。
ピン６０と挿通孔７３で放熱板７１とピックアップベース５１とを係合させたのち、ねじ７２１でねじ止めすればよいので簡便である。これは、例えば、放熱板７１とピックアップベース５１とを固定する固定手段に加え、放熱板７１をレーザー光源体６１に押し当てる別個の付勢手段等を設ける場合に比べると、構造的に簡略化され、また組み立て工程も簡便にできる。
【００３４】
（５）放熱板７１とレーザー光源体６１の一端面との間には放熱シート８１が設けられている。
このような構成によれば、放熱板７１は放熱シート８１に密着し、また、レーザー光源体６１の一端面は放熱シート８１に密着する。放熱シート８１を介することなくレーザー光源体６１の一端面と放熱板７１とを直接接触させると、剛体と剛体との接触になるため、互いに全面で接しないで点で接する可能性が高くなる。レーザー光源体６１と放熱板７１との接触面積が小さいとレーザー光源体６１から放熱板７１に熱が伝達されにくい。しかし、放熱シート８１を介することによって、レーザー光源体６１から放熱板７１に熱が伝わる面積が大きくなるので、レーザー光源体６１から放熱板７１に効率よく熱が伝熱される。
【００３５】
（６）ピックアップベース５１は、高台部分５８と低地部分５９とを有し、放熱板７１はこの低地部分５９に配置されている。
このような構成により、放熱板７１と回路基板４０との間隔を広くすることができる。
放熱板７１とピックアップベース５１とは所定間隔を有して設けるが、その一方、ピックアップベース５１の一面に対向して回路基板４０が設けられている。よって、放熱板７１をピックアップベース５１から所定間隔浮かせて配置することは、同時に、放熱板７１を回路基板４０に近づけることにもなりかねない。しかし、ピックアップベース５１に低地部分５９を設けて、この低地部分５９に放熱板７１を配置することにより、放熱板７１をピックアップベース５１から浮かせてもなお、放熱板７１と回路基板４０との間の間隔を十分にとることができる。
【００３６】
（７）ピックアップベース５１が合成樹脂で形成されている。よって、ピックアップベース５１を金属材料で形成する場合に比べて材料コストを低減することができる。ピックアップベース５１が合成樹脂であると、金属材料とは違ってピックアップベース５１自体から放熱することは難しいが、本発明の放熱板７１により、レーザー光源体６１の熱を十分放熱できる。
【００３７】
（８）レーザー光源体６１は、異なる２波長のレーザー光束を発射することができる。よって、ＤＶＤ用とＣＤ用で別個に二つのレーザー光源体６１を設ける場合に比べてピックアップ装置５を小型化することができる。２波長のレーザー光束を発射できるレーザー光源体６１は発熱量が大きいが、本発明の放熱板７１によれば、レーザー光源体６１の熱を十分に放熱することができる。
【００３８】
（第２実施形態）
次に、本発明の第２実施形態を図５に基づいて説明する。
この第２実施形態は、基本的構成は第１実施形態と同様であるが、第２実施形態が特徴とするところは、放熱板７１の基面部７２に放熱孔７５が設けられている点である。
この放熱孔７５は、放熱板７１の基面部７２に設けられ、ピックアップベース５１と放熱板７１の基面部７２とで挟まれる空間をこの基面部７２を挟んで反対側に連通する。
【００３９】
このような構成によれば、第１実施形態の効果（１）ないし（８）に加えて、次の効果を奏することができる。
（９）放熱板７１は、ピックアップベース５１との間に所定間隔を有することによってピックアップベース５１とにて挟む空間をこの放熱板７１を挟んで反対側に連通する放熱孔７５を有している。
【００４０】
このような構成によれば、放熱板７１に放熱孔７５が設けられるので、この放熱孔７５の内壁面の面積分だけ放熱板７１が外気と触れる面積が大きくなる。放熱板７１が外気に触れる面積が大きければ、放熱効率がそれだけ高くなる。よって、レーザー光源体６１の熱を効率よく放熱することができる。
また、ピックアップベース５１と放熱板７１の基面部７２との間に温度差による空気対流が生じる場合には、放熱孔７５を通ってピックアップベース５１と基面部７２との間に空気が流入しやすくなる。すると、放熱板７１が冷たい外気に触れやすくなるので、放熱板７１の放熱効率を向上させることができる。
図６は、放熱板７１とピックアップベース５１との間に１ｍｍの間隔があり、かつ、放熱板７１に放熱孔７５を設けた場合について、レーザー光源体６１の温度上昇の様子を示す図である。図６は、室温が２５度に対して、レーザー光源体６１の温度が約３０度程度に収束している。これは、図４（Ａ）に示した放熱板７１がピックアップベース５１に密着している場合に比べると、レーザー光源体６１の温度上昇を約３．５度ほど抑えていることがわかる。
【００４１】
尚、本発明のピックアップ装置は、上記実施形態にのみ限定されるものではなく、本発明の要旨を逸脱しない範囲内において種々変更を加え得ることは勿論である。
ピックアップベース５１の形状や、放熱板７１の形状は上記実施形態に限られえるものではなく、種種の形状を取り得ることはもちろんである。また、レーザー光源体６１も特に２波長のレーザー光源体に限られるものでもない。
放熱孔７５の形状や数、大きさなどは任意であり、特に限定されるものではない。放熱孔７５を放熱板７１の側面部７４に設けることももちろんよい。ただし、放熱孔７５をたくさん設けすぎると、放熱板７１の面積がかえって小さくなることもあり、また、放熱板７１内で熱が伝熱するための伝熱面積が小さくなる。この場合、放熱板７１による放熱効率が低減されてしまうので、放熱孔７５は適度に設けることが肝要である。
ピックアップベース５１にピン６０が設けられ、放熱板７１にピン６０が挿通される挿通孔７３が設けられているが、これとは逆に、放熱板７１にピンが設けられピックアップベース５１に挿通孔が設けられてもよい。
【図面の簡単な説明】
【図１】本発明の第１実施形態のピックアップ装置を有するディスク装置の分解斜視図である。
【図２】前記第１実施形態において、図１中のＩＩ方向からピックアップ装置を見た図である。
【図３】前記第１実施形態において、図２中のＩＩＩ方向からピックアップ装置を見た図である。
【図４】（Ａ）は、従来の放熱板の放熱によるレーザー光源体の温度上昇の様子を示す図であり、（Ｂ）は前記第１実施形態の放熱板の放熱によるレーザー光源体の温度上昇の様子を示す図である。
【図５】本発明の第２実施形態のピックアップ装置を示す図である。
【図６】前記第２実施形態の放熱板の放熱によるレーザー光源体の温度上昇の様子を示す図である。
【符号の説明】
１　　ディスク装置
５　　ピックアップ装置
３４１　スピンドルモータ（動力源）
４０　回路基板
４１　光ディスク（光学記録媒体）
５１　ピックアップベース（筐体）
６０　ピン
６１　レーザー光源体（光源体）
７１　放熱板（放熱部材）
７２　基面部
７３　挿通孔
７４　側面部
７５　放熱孔（孔部）
【図１】
2004133962.tif 000003
【図２】
2004133962.tif 000004
【図３】
2004133962.tif 000005
【図４】
2004133962.tif 000006
【図５】
2004133962.tif 000007
【図６】
2004133962.tif 000008